(57)【要約】【課題】耐熱性、必要な離隔や強度を有する蓄熱暖房機用の耐熱性飾り棚を提供する。【解決手段】本考案は、蓄熱暖房機を収納可能とした耐熱性飾り棚であって、所定の開口部７ａ，７ｂが設けられた天板１と、その上面が上記天板１の下面に連結される第１及び第２の側板２，３と、上記第１及び第２の側板２，３を連結する第１及び第２の軸部材４，５と、上記天板１の上記開口部７ａ，７ｂに挿入され配設される断熱材６ａ，６ｂと、を有し、上記開口部７ａ，７ｂの上記断熱材挿入後に形成される空間と、上記断熱材６ａ，６ｂとにより蓄熱暖房機からの熱を断熱し、更には放熱することを特徴とする。【選択図】      図１
0003108887.tif 000002
【実用新案登録請求の範囲】
【請求項１】
蓄熱暖房機を収納可能とした耐熱性飾り棚において、
所定の開口部が設けられた天板と、
その上面が上記天板の下面に連結される第１及び第２の側板と、
上記第１及び第２の側板を連結する第１及び第２の軸部材と、
上記天板の上記開口部に挿入され、上記蓄熱暖房機からの熱を断熱する断熱材と、
を具備することを特徴とする蓄熱暖房機用の耐熱性飾り棚。
【請求項２】
上記開口部の上記断熱材挿入後に形成される空間により上記蓄熱暖房機からの熱を放熱することを更に特徴とする請求項１に記載の蓄熱暖房機用の耐熱性飾り棚。
【請求項３】
上記第１及び第２の側板の下部には壁の幅木を収納する切り欠き部が設けられていることを更に特徴とする請求項１に記載の蓄熱暖房機用の耐熱性飾り棚。
【請求項４】
上記第２の軸部材は、その奥行き方向の寸法と上記切り欠き部の深さの寸法との和が蓄熱暖房機と壁との離隔距離以下となることを特徴とする請求項３に記載の蓄熱暖房機用の耐熱性飾り棚。
【考案の詳細な説明】
【技術分野】
【０００１】
本考案は、蓄熱暖房機用の耐熱性飾り棚に関する。
【背景技術】
【０００２】
従来、蓄熱体に夜間電力を使って熱を蓄積し、その熱を放出することで部屋を暖める蓄熱暖房機が経済的でクリーン、安全であることから汎用されている。
【０００３】
このような蓄熱暖房機が部屋に設置された後においては、当該部屋の景観の一部となることから、景観を損なわないような工夫が求められる。その一手段として、蓄熱暖房機自体の色やデザインを設置する部屋に整合するものとなるよう選択すること、或いは専用の飾り棚に蓄熱暖房機を収納すること等が考えられる。
【考案の開示】
【考案が解決しようとする課題】
【０００４】
しかしながら、蓄熱暖房機が収納される飾り棚に対しては、耐熱性、必要な離隔や強度等といった全ての要求を満たすことが求められるが、このような要求を満たす蓄熱暖房機用の飾り棚は今日に至るまで開発されていない。
【０００５】
本考案の目的とするところは、耐熱性、必要な離隔や強度を有する蓄熱暖房機用の耐熱性飾り棚を提供することにある。
【課題を解決するための手段】
【０００６】
上記目的を達成するために、本考案の一態様でよれば、蓄熱暖房機を収納可能とした耐熱性飾り棚において、所定の開口部が設けられた天板と、その上面が上記天板の下面に連結される第１及び第２の側板と、上記第１及び第２の側板を連結する第１及び第２の軸部材と、上記天板の上記開口部に挿入され、上記蓄熱暖房機からの熱を断熱する断熱材とを具備することを特徴とする蓄熱暖房機用の耐熱性飾り棚が提供される。
【０００７】
本考案の第２の態様によれば、上記第１の態様において、上記開口部の上記断熱材挿入後に形成される空間により上記蓄熱暖房機からの熱を放熱することを更に特徴とする蓄熱暖房機用の耐熱性飾り棚が提供される。
【０００８】
本考案の第３の態様によれば、上記第１の態様において、上記第１及び第２の側板の下部には壁の幅木を収納する切り欠き部が設けられていることを更に特徴とする蓄熱暖房機用の耐熱性飾り棚が提供される。
【０００９】
本考案の第４の態様によれば、上記第３の態様において、上記第２の軸部材は、その奥行き方向の寸法と上記切り欠き部の深さの寸法との和が蓄熱暖房機と壁との離隔距離以下となることを特徴とする蓄熱暖房機用の耐熱性飾り棚が提供される。
【考案の効果】
【００１０】
本考案によれば、耐熱性、必要な離隔や強度を有する蓄熱暖房機用の耐熱性飾り棚を提供することができる。
【考案を実施するための最良の形態】
【００１１】
以下、図面を参照して、本考案の実施の形態について説明する。
【００１２】
図１は本考案の一実施の形態に係る蓄熱暖房機用の耐熱性飾り棚の構成図を示す図である。即ち、図１（ａ）は蓄熱暖房機用の耐熱性飾り棚の正面図、図１（ｂ）は当該飾り棚の背面図、図１（ｃ）は図１に符号ＡＡで示す箇所での一部断面図である。
【００１３】
図１（ａ）乃至（ｃ）に示されるように、この実施の形態に係る蓄熱暖房機用の耐熱性飾り棚は、開口部７ａ，７ｂを有する１枚の天板１と後述する切り欠き部２ａ，３ａを有する第１及び第２の側板２，３、ネジ孔４ａ乃至４ｄを有する第１の軸部材４、第２の軸部材５、断熱材６ａ，６ｂ、補強部材８により構成されている。
【００１４】
より詳細には、第１及び第２の側板２，３は平行となるような位置関係で、その上面が天板１の下面に固着されている。第１及び第２の側板２，３の内側の面の上部壁側の各端部は第１の軸部材４により連結され、第１及び第２の側板２，３の内側の面の下部壁側の各端部は第２の軸部材５により連結されている。上記第１の軸部材４の上面は天板１の下面にも固着されている。さらに、天板１には補強部材８により空間的に隔てられた２つの開口部７ａ，７ｂが設けられており、当該開口部７ａ，７ｂ内に断熱材６ａ，６ｂが挿入され設置されている。つまり、この開口部７ａ，７ｂは蓄熱暖房機からの熱を放熱する空間層としての機能と、断熱材６ａ，６ｂの設置空間としての機能を持つ。
【００１５】
そして、特に、天板１の開口部７ａ，７ｂと断熱材６ａ，６ｂとにより、断熱層と空気層による二重の断熱作用、放熱作用を奏するように構成されている点は、この実施の形態に係る蓄熱暖房機用の耐熱性飾り棚の特徴点の一つである。
【００１６】
以上のほか、上記第１の軸部材４には、この例では４箇所のネジ孔４ａ乃至４ｄが設けられている。さらに、第１及び第２の側板２，３の壁に接地する面の下方には、幅木が収まるように設計上工夫された切り欠き部２ａ，３ａが設けられている。
【００１７】
尚、「幅木」とは、一般的に室内の壁の最下部、床に接する所に張る、化粧用の横板をいう。上記断熱材６ａ，６ｂとしては石膏ボードのほか、種々の材料を使用できる。
【００１８】
図２は本考案の一実施の形態に係る蓄熱暖房機用の耐熱性飾り棚の斜視図である。
【００１９】
ここでは、実際に蓄熱暖房機１０が収納されている様子を示しているが、蓄熱暖房機１０と周囲、即ち飾り棚の天板１、第１及び第２の側板２，３との離隔距離が十分になるように設計されている。例えば、蓄熱暖房機１０と天板１との距離は１００ｍｍ以上、側板２，３との距離はそれぞれ１５０ｍｍとなるように設計されている。但し、これに限定されない。
【００２０】
図３には本考案の一実施の形態に係る蓄熱暖房機用の耐熱性飾り棚の設置状態を示し説明する。同図に示されるように、天板１の背面、第１及び第２の側板２，３の背面は壁に設置するように配置される。このとき、第１及び第２の側板２，３の下部に設けられた切り欠き部２ａ，３ａに壁１００の幅木１０１が収まることになる。
【００２１】
この切り欠き部２ａ，３ａの高さ方向及び奥行き方向の寸法は、幅木を包含するのに十分なサイズとなるように設計されている。つまり、例えば、一般的な幅木の高さ方向の寸法は５０〜７０ｍｍ程度であるが、切り欠き部２ａ，３ａの高さ方向のサイズは、そのような一般的な幅木の高さ方向の最大寸法よりも高くなるように設計されている。尚、幅木のサイズは、施行業者等によってまちまちであり、この例で挙げた寸法には限られないが、この切り欠き部２ａ，３ａは、用途に応じて、そのサイズが幅木を包含するように適宜設計可能となっている。
【００２２】
さらに、実際に蓄熱暖房機１０を収納した場合、壁より所定の離隔距離を隔てて設置することが必要となるが、第２の軸受部材５は切り欠き部２ａ，３ａの切り欠き面の同一垂直面に接して取り付けられる。第２の軸部材５の幅ｄ１と切り欠き部２ａ，３ａの幅ｄ２の和が所望される上記離間距離以下となるように設計されている。
【００２３】
蓄熱暖房機１０は地域の消防署の要望により、その設置場所によって壁面との離隔を変えることがある為、軸受部材５と蓄熱暖房機１０との間に離隔を調節するスペーサを挿入することにより、設置をより正確に行なうことができる。そして、飾り棚の壁へのネジによる設置用のネジ孔４ａ乃至４ｄを第１の軸部材４に設けているので、蓄熱暖房機１０を飾り棚に設置した後においても、間隔ｄ３を確保するようにサイズを設計することで、当該ネジによる設置の見直しを簡易に行なうことができるようにしている。
【００２４】
以上詳述したように、本考案の一実施の形態に係る蓄熱暖房機用の耐熱性飾り棚によれば、簡易な構成で、蓄熱暖房機からの熱を断熱し更に放熱することで、安全性をより高めることができる。また、住空間を景観的にも優美なものとすることができる。
【００２５】
以上、本考案の実施の形態について説明したが、本考案はこれに限定される事なくその趣旨を逸脱しない範囲で種々の改良・変更が可能であることは勿論である。例えば、上記天板の上に更に書籍等を置けるような棚を連結可能に構成することもできる。
【図面の簡単な説明】
【００２６】
【図１】本考案の一実施の形態に係る蓄熱暖房機用の耐熱性飾り棚の構成図である。
【図２】本考案の一実施の形態に係る蓄熱暖房機用の耐熱性飾り棚の斜視図である。
【図３】本考案の一実施の形態に係る蓄熱暖房機用の耐熱性飾り棚の設置状態を説明するための図である。
【符号の説明】
【００２７】
１・・・天板、２・・・第１の側板、２ａ・・・切り欠き部、３・・・第２の側板、３ａ・・・切り欠き部、４・・・第１の軸部材、４ａ〜４ｄ・・ネジ孔、５・・・第２の軸部材、６ａ，６ｂ・・・断熱材、７ａ，７ｂ・・・開口部、８・・・補強部材。
【図１】
0003108887.tif 000003
【図２】
0003108887.tif 000004
【図３】
0003108887.tif 000005